(57)【要約】【課題】臭いが漏れることなく、持ち帰った糞は簡単に処分できる糞処理具を提供する。【解決手段】蝶番１５を軸にして開閉可能の外蓋１６を有するケース１１内を、少なくともロールティッシュ１２を収容するスペース１３と、糞を収容するスペース１４とに区分し、上記ロールティッシュ１２を収容するスペース１３には押え板１９、ピン２０、突板２１、錘球２２などからなるティッシュを繰り出す手段を備え、上記糞を収容するスペース１４には糞籠２３を収容可能にし、上記外蓋１６を閉じたとき収容した糞籠２３が固定されるようにしてなる。また、必要ならば予備のティッシュを収容するスペースを設けることができ、ケース１１の外壁のハサミ２９を収容するポケット３０や外蓋１６の裏側に照明装置を設けることもできる。【選択図】図２
0003110291.tif 000002
【実用新案登録請求の範囲】
【請求項１】
蝶番を軸にして開閉可能の外蓋を有するケース内を、少なくともティッシュを収容するスペースと、糞を収容するスペースとに区分し、上記ティッシュを収容するスペースにはティッシュを繰り出す手段を備え、上記糞を収容するスペースには糞籠を収容し、上記外蓋を閉じたとき収容した糞籠が固定されるようにしてなるペットの糞処理用具。
【請求項２】
上記糞籠を収容するスペースには中蓋を備え、上記外蓋を閉じたとき、上記中蓋を糞籠に押し当てて密閉する構造とし、上記ティッシュを収容するスペースは、予備ティッシュを収容することが可能で、上記ケースの外壁面に糞を取り上げるハサミを収容可能にしてなる請求項１に記載のペットの糞処理用具。
【請求項３】
糞籠の底部分に底蓋を開閉可能に設けてなる請求項１または２に記載のペットの糞処理用具。
【請求項４】
上記外蓋の裏側にバッテリーと電球からなる照明装置を設けてなる請求項１乃至３の何れかに記載のペットの糞処理用具。
【考案の詳細な説明】
【技術分野】
【０００１】
この考案はペットの糞処理具で、ケース内に糞を収容する部分と、ティッシュペーパーを収容する部分と、糞を取り上げるハサミとを備え、ケースに収容した糞が不用意にこぼれず、また、臭いが漏れないようにしたペットの糞処理用具に関する。
【背景技術】
【０００２】
ペットの糞処理用具の先行技術として実願２００１-７７３２号（実用新案登録第３０８６７７０号）がある。
【０００３】
上記先行技術は、「ビニール袋をセットしておき、砂の散乱防止ガードにより衛生的に（糞を）回収・処理できるボックスであり、市販の処理用スコップや芳香剤などの備品を纏めて収容できるボックス」である。
【考案の開示】
【考案が解決しようとする課題】
【０００４】
上記先行技術は、ティッシュ（ロールティッシュを含む）をどのように備えるか、取り上げた糞をこぼれないよう確実に収容すること、糞を取り上げるハサミのセットの仕方、収容した糞の臭いが漏れないようにする等の手段が明らかにされていない。
【０００５】
上記従来技術の問題点に鑑みこの考案は、ケース内に糞を収容する部分と、ロールティッシュを含むティッシュペーパーを収容する部分と、糞を取り上げるハサミとを備え、ケースに収容した糞が不用意にこぼれず、また、臭いが漏れないようにしたペットの糞処理用具を提供することを課題とする。
【課題を解決するための手段】
【０００６】
上記課題を解決するためにこの考案は、蝶番を軸にして開閉可能の外蓋を有するケース内を、少なくともティッシュを収容するスペースと、拾い上げた糞を収容するスペースとに区分し、上記ティッシュを収容するスペースにはティッシュを繰り出す手段を備え、上記糞を収容するスペースには糞籠を収容可能にし、上記外蓋を閉じたとき収容した糞籠が固定されるようにしてなる構成としたものである。
【０００７】
また、上記糞籠を収容するスペースには中蓋を備え、上記外蓋を閉じたとき、上記中蓋を糞籠に押付けて密閉する構造を採用することができ、また、上記ティッシュを収容するスペースは、予備ティッシュを収容することが可能で、上記ケースの外壁面に糞を取り上げるハサミを収容可能にしてなる。また、糞籠の底部分に底蓋を開閉可能に設けてなる構成とすることもできる。
【考案の効果】
【０００８】
上記の如く構成するこの考案によれば、ケース内に糞処理用具の全てが用意されてあり、糞収容部分は密閉する構造となっているので、臭いが漏れることなく、持ち帰った糞は水洗便所で簡単に処理することができる。
【考案を実施するための最良の形態】
【０００９】
次にこの考案の実施の形態を、図面を参照しながら説明する。
【実施例１】
【００１０】
図１および図２は実施例１の考案に係り、ケース１１全体はロールティッシュ１２の収容スペース１３と糞の収容スペース１４に分けられ、ケース１１の上部開口部分には蝶番１５を軸にして外蓋１６がターンクリップ１７により開閉可能になり、その外蓋１６には起伏可能の把手１８が設けられている。
【００１１】
ロールティッシュ１２の収容スペース１３の上部にはティッシュ押え板１９がピン２０を軸にして揺動可能に取り付けられ、このティッシュ押え板１９の中間には下向きに突板２１が設けられている。なお、上記押え板１９の揺動端は半筒状に折り曲げられ、その折り曲げられた部分に錘球２２が嵌められて絶えず下方向に力が加わるようにして一定の張力でロールティッシュが繰り出されるようになっている。
【００１２】
上記ティッシュ押え板１９の中間の下向きの突板２１は、使い細ってきたロールティッシュ１２ｅを繰り出すときに押え板１９の揺動端側に位置させるためのものである。また、繰り出されたティッシュ１２ｄは押え板１９の揺動端で折り返して押え板１９の上面に沿い、かつ、ティッシュ戻り止めバー４１の下をくぐって繰り出される。
【００１３】
糞を処理するときは、外蓋１６を開けティッシュ１２ｄを繰り出し、糞にティッシュを被せて摘み上げて糞籠２３に収めるか、ハサミ２９で摘んで糞籠２３に収める。繰り出されたティッシュ１２ｄはノコギリ状のティッシュ切断刃４０で切断する。なお、切断されたティッシュ１２ｄはティッシュ戻り止めバー４１で逆戻りを阻止される。
【００１４】
糞収容スペース１４には糞籠２３を若干の間隙をあけて収容し、糞籠２３の上部開口には中蓋２４が被り、中蓋２４の上側に突起２５を設けられ、外蓋１６を閉じたとき、その裏面が上記中蓋２４の突起２５を押えて糞籠２３を密閉状態にするとともにケース１１を落したときでも糞が飛び出すことがないように、かつ、臭いが漏れないようになっている。なお、この実施例では、糞籠２３の上部開口と中蓋２４とはバヨネットマウント２６になって密閉性を一層高くしているがバヨネットマウントにしなくてもよい。
【００１５】
ケース１１の上部開口部の周縁には補強を目的としてリブ２７が形成され、このリブ２７の周囲には夜間歩行の安全対策として反射蛍光テープ２８が貼り付けられている。また、ケース１１の外壁には蟻と蟻溝構造により糞を取り上げるハサミ２９を入れるポケット３０が着脱可能に設けられている。
【実施例２】
【００１６】
図３は実施例２に係り、実施例１のロールティッシュ１２の収容スペース１３の構造を若干変更したもので収容スペース１３の両側壁内面に芯３１を支持する縦溝３２を設けた支持板３３が設けられ、ロールティッシュ１２の芯管１２ａに上記芯３１を挿通してロールティッシュ１２を繰り出すようにしている。なお、他の部分は実施例１と基本的に変わらないので説明を省略する。
【実施例３】
【００１７】
図４は実施例３に係り、使用中のロールティッシュ１２の下側に予備のロールティッシュ１２ｂを収容できるようにしており、糞籠２３の収容スペース１４の下側には、通常のティッシュ１２ｃを収容できるようにしている。なお、他の部分は実施例１と基本的に変わらないので説明を省略する。
【実施例４】
【００１８】
図５は実施例４に係り、夜間に使用するときのために外蓋１６の裏側に、バッテリー３４と電球３５からなる照明装置３６を付加したものである。なお、他の部分は実施例１と基本的に変わらないので説明を省略する。
【実施例５】
【００１９】
図６は実施例５に係り、把手１８ｂを設けた糞籠２３の底部分にヒンジ３９を軸にして底蓋３８を取り付け、ターンクリップ１７ｂにより開閉可能にしている。この実施例ではターンクリップ１７ｂを外して底蓋３８を開けると袋３７に入れた糞をそのまま捨てることができる。
【産業上の利用可能性】
【００２０】
以上説明したようにこの考案によればケース内に糞処理用具の全てが用意されてあり、糞収容部分は密閉する構造となっているので、臭いが漏れることなく、持ち帰った糞は簡単に処分することができる。
【図面の簡単な説明】
【００２１】
【図１】実施例１の外蓋を外した状態の平面図
【図２】同縦断面図
【図３】実施例２の縦断面図
【図４】実施例３の縦断面図
【図５】実施例４の縦断面図
【図６】実施例５における糞籠の縦断面図
【符号の説明】
【００２２】
１０  糞処理具
１１  ケース
１２  ロールティッシュ
１２ａ  ロールティッシュの芯管
１２ｂ  予備のロールティッシュ
１２ｃ  通常のティッシュ
１３  収容スペース（ロールティッシュの）
１４  収容スペース（糞の）
１５  蝶番
１６  外蓋
１７，１７ｂ  ターンクリップ
１８，１８ｂ  把手
１９  押え板
２０  ピン
２１  突板
２２  錘球
２３  糞籠
２４  中蓋
２５  突起
２６  バヨネットマウント
２７  リブ
２８  反射蛍光テープ
２９  ハサミ
３０  ポケット
３１  芯
３２  縦溝
３３  支持板
３４  バッテリー
３５  電球
３６  照明装置
３７  袋
３８  底蓋
３９  ヒンジ
４０  ティッシュ切断刃
４１  ティッシュ戻り止めバー
【図１】
0003110291.tif 000003
【図２】
0003110291.tif 000004
【図３】
0003110291.tif 000005
【図４】
0003110291.tif 000006
【図５】
0003110291.tif 000007
【図６】
0003110291.tif 000008